(57)【要約】【課題】商品の初回製造の推奨数を的確に算出することが可能な推奨数算出装置、表示システム、制御方法及びプログラムを提供する。【解決手段】サーバ装置１は、対象書籍に関する検索条件を示した条件指定信号Ｓ２を受信する。そして、サーバ装置１は、条件指定信号Ｓ２が示す検索条件に基づき、書籍情報１３１を参照して類書を検索する。そして、サーバ装置１は、販売情報ＤＢ１３２に記録された類書の販売情報に基づき、推奨初版部数を算出する。そして、サーバ装置１は、推奨初版部数の情報に関する表示情報Ｓ３を出版社端末４へ送信する。【選択図】図４
2019096030.tif 000002
【特許請求の範囲】
【請求項１】
対象商品に関する検索条件を取得する検索条件取得部と、
前記検索条件に基づき、前記対象商品に類似する類似商品を検索する検索部と、
前記類似商品の販売情報に基づき、前記対象商品の初回製造数の推奨数を算出する推奨数算出部と、
前記推奨数に関する情報を出力する出力部と、
を備えることを特徴とする推奨数算出装置。
【請求項２】
前記推奨数算出部は、商品の販売実績に関するデータベースから、前記類似商品の発売日から所定期間における売上数の情報を、前記販売情報として取得することを特徴とする請求項１に記載の推奨数算出装置。
【請求項３】
前記推奨数算出部は、前記販売情報に基づき統計的に算出された前記類似商品の売上数の代表値に基づき、前記推奨数を算出することを特徴とする請求項１または２に記載の推奨数算出装置。
【請求項４】
前記推奨数算出部は、前記販売情報に基づき統計的に算出された前記類似商品の売上数の代表値及び散布度に基づき、前記推奨数の範囲を算出することを特徴とする請求項３に記載の推奨数算出装置。
【請求項５】
前記推奨数算出部は、前記類似商品の売上数の度数分布に基づき、前記代表値として用いる指標を選択することを特徴とする請求項３または４に記載の推奨数算出装置。
【請求項６】
前記推奨数算出部は、前記類似商品の売上数の度数分布が正規分布に近いか否かに基づき、前記代表値として用いる指標を異ならせることを特徴とする請求項５に記載の推奨数算出装置。
【請求項７】
前記推奨数算出部は、前記検索部が検索した類似商品を売上数に基づき並べた場合に上位又は下位の少なくともいずれか一方の所定割合に属する類似商品を除外した類似商品の販売情報に基づき、前記推奨数を算出することを特徴とする請求項１〜６のいずれか一項に記載の推奨数算出装置。
【請求項８】
前記検索条件取得部は、市中在庫係数と、前記販売情報を提供する販売店の市場における売上の占有率とをさらに取得し、
前記推奨数算出部は、前記類似商品の販売情報が示す売上数と、前記市中在庫係数と、前記占有率とに基づき、前記推奨数を算出することを特徴とする請求項１〜７のいずれか一項に記載の推奨数算出装置。
【請求項９】
請求項１〜８のいずれか一項に記載の推奨数算出装置と、表示装置とを備える表示システムであって、
前記推奨数算出装置の出力部は、初回製造数の推奨数に関する表示情報を前記表示装置に送信し、
前記表示装置は、前記推奨数算出装置から受信する表示情報に基づき、前記推奨数に関する情報を表示する表示部を有することを特徴とする表示システム。
【請求項１０】
前記出力部は、前記類似商品の売上数のヒストグラムの情報を前記表示情報に含め、
前記表示部は、前記表示情報に基づき、前記ヒストグラムを表示することを特徴とする請求項９に記載の表示システム。
【請求項１１】
前記出力部は、前記類似商品の情報を前記類似商品ごとに示した一覧情報を前記表示情報に含め、
前記表示部は、前記表示情報に基づき、前記類似商品の一覧を前記表示部に表示させることを特徴とする請求項９または１０に記載の表示システム。
【請求項１２】
前記表示装置は、前記一覧から選択された類似商品を示した選択情報を前記推奨数算出装置に送信する送信部を備え、
前記推奨数算出部は、前記選択情報が示す類似商品の販売情報を除外して前記推奨数を算出することを特徴とする請求項１１に記載の表示システム。
【請求項１３】
推奨数算出装置が実行する制御方法であって、
前記検索条件に基づき、前記対象商品に類似する類似商品を検索する検索工程と、
前記類似商品の販売情報に基づき、前記対象商品の初回製造数の推奨数を算出する推奨数算出工程と、
前記推奨数に関する情報を出力する出力工程と、
を有することを特徴とする制御方法。
【請求項１４】
請求項１〜８のいずれか一項に記載の推奨数算出装置としてコンピュータを機能させることを特徴とするプログラム。
【発明の詳細な説明】
【技術分野】
【０００１】
本発明は、商品の製造数を推奨する技術に関する。
【背景技術】
【０００２】
従来から、書籍などの商品の販売数を予測して製造数や発注数量を調整する技術が知られている。例えば、特許文献１には、旧年度に投入された各商品に関する情報に基づいて、新規に投入する新規投入商品の売上数量を予測し、その予測結果に基づいて、各商品の発注数量を調整する発注管理システムが開示されている。
【先行技術文献】
【特許文献】
【０００３】
【特許文献１】特開平８−２１２２６２号公報
【発明の概要】
【発明が解決しようとする課題】
【０００４】
従来、出版社においては、書店での売上情報を参考にして出版する本の初版部数を決めることが行われている。しかしその基準は出版社又は担当者個人によって異なっており、また、基準についても個人の経験によるところが大きく、実際の市場動向を的確に反映したものとは言い難い場合があった。そこで、本発明は、書籍などの商品の初回製造数の推奨数を的確に算出することが可能な推奨数算出装置、表示システム、制御方法及びプログラムを提供することを主な課題とする。
【課題を解決するための手段】
【０００５】
本発明の１つの観点では、推奨数算出装置は、対象商品に関する検索条件を取得する検索条件取得部と、前記検索条件に基づき、前記対象商品に類似する類似商品を検索する検索部と、前記類似商品の販売情報に基づき、前記対象商品の初回製造数の推奨数を算出する推奨数算出部と、前記推奨数に関する情報を出力する出力部と、を備える。ここで、「情報を出力する」とは、当該情報を所定形式のファイルとして出力する態様、及び、当該情報を表示するのに必要な表示情報等を他の装置に送信する態様も含む。また、初回製造数は、商品が書籍（出版物）の場合には初版部数に相当し、自社にて製造する数であってもよく、製造元に発注する数であってもよい。この態様では、推奨数算出装置は、所定の検索条件により検索された類似商品の販売情報に基づき、対象商品の初回製造数（書籍の場合には初版部数）の推奨数を的確に算出して出力することができる。
【０００６】
上記推奨数算出装置の一態様では、前記推奨数算出部は、商品の販売実績に関するデータベースから、前記類似商品の発売日から所定期間における売上数の情報を、前記販売情報として取得する。この態様により、推奨数算出装置は、類似商品の発売日から所定期間における売上数の情報を好適に取得し、対象商品に対して必要な初回製造数を好適に推定することができる。
【０００７】
上記推奨数算出装置の他の一態様では、前記推奨数算出部は、前記販売情報に基づき統計的に算出された前記類似商品の売上数の代表値に基づき、前記推奨数を算出する。この態様により、推奨数算出装置は、類似商品の売上数を統計処理することで、対象商品に必要な初回製造数を好適に推定し、当該初回製造数の推奨数を好適に算出して出力することができる。
【０００８】
上記推奨数算出装置の他の一態様では、前記推奨数算出部は、前記販売情報に基づき統計的に算出された前記類似商品の売上数の代表値及び散布度に基づき、前記推奨数の範囲を算出する。この態様により、推奨数算出装置は、類似商品の売上数のばらつきを考慮し、対象商品の初回製造数の推奨数の範囲を好適に算出して出力することができる。
【０００９】
上記推奨数算出装置の他の一態様では、前記推奨数算出部は、前記類似商品の売上数の度数分布に基づき、前記代表値として用いる指標を選択する。この場合の指標は、例えば平均値、中央値、最頻値などの統計的な指標（統計量）が該当する。この態様により、推奨数算出装置は、類似商品の売上数の分布に応じて適切な指標を代表値として選択し、推奨数をより的確に算出することができる。
【００１０】
上記推奨数算出装置の他の一態様では、前記推奨数算出部は、前記類似商品の売上数の度数分布が正規分布に近いか否かに基づき、前記代表値として用いる指標を異ならせる。この態様により、推奨数算出装置は、推奨数の算出に用いるべき類似商品の売上数の代表値の選定を好適に実行することができる。
【００１１】
上記推奨数算出装置の他の一態様では、前記推奨数算出部は、前記検索部が検索した類似商品を売上数に基づき並べた場合に上位又は下位の少なくともいずれか一方の所定割合に属する類似商品を除外した類似商品の販売情報に基づき、前記推奨数を算出する。この態様により、推奨数算出装置は、推奨数の算出の際に参照すべき類似商品の販売情報を好適に選別し、推奨数の算出精度を向上させることができる。
【００１２】
上記推奨数算出装置の他の一態様では、前記検索条件取得部は、市中在庫係数と、前記販売情報を提供する販売店の市場における売上の占有率とをさらに取得し、前記推奨数算出部は、前記類似商品の販売情報が示す売上数と、前記市中在庫係数と、前記占有率とに基づき、前記推奨数を算出する。この態様により、推奨数算出装置は、類似商品の販売情報から対象商品に必要な初回製造数を的確に推定し、上述の推奨数として出力することができる。
【００１３】
本発明の他の観点では、上記いずれか記載の推奨数算出装置と、表示装置とを備える表示システムであって、前記推奨数算出装置の出力部は、初回製造数の推奨数に関する表示情報を前記表示装置に送信し、前記表示装置は、前記推奨数算出装置から受信する表示情報に基づき、前記推奨数に関する情報を表示する表示部を有する。この態様によれば、表示装置は、推奨数算出装置が算出した対象商品の初回製造の推奨数に関する表示を好適に行うことができる。
【００１４】
上記表示システムの一態様では、前記出力部は、前記類似商品の売上数のヒストグラムの情報を前記表示情報に含め、前記表示部は、前記表示情報に基づき、前記ヒストグラムを表示する。この態様により、表示装置は、類似商品の売上数の分布をユーザに視認させ、対象商品の初回製造数の決定を好適に支援することができる。
【００１５】
上記表示システムの他の一態様では、前記出力部は、前記類似商品の情報を前記類似商品ごとに示した一覧情報を前記表示情報に含め、前記表示部は、前記表示情報に基づき、前記類似商品の一覧を前記表示部に表示させる。この態様により、表示装置は、対象商品の初回製造の推奨数の算出に用いた類似商品の情報の一覧を、好適にユーザに提示することができる。
【００１６】
上記表示システムの他の一態様では、前記表示装置は、前記一覧から選択された類似商品を示した選択情報を前記推奨数算出装置に送信する送信部を備え、前記推奨数算出部は、前記選択情報が示す類似商品の販売情報を除外して前記推奨数を算出する。この態様により、表示システムは、ユーザが選択した任意の類似商品の販売情報を、対象商品の初回製造数の推奨数の算出時の参照対象から除外することができる。
【００１７】
本発明のさらに別の観点では、推奨数算出装置が実行する制御方法であって、前記検索条件に基づき、前記対象商品に類似する類似商品を検索する検索工程と、前記類似商品の販売情報に基づき、前記対象商品の初回製造数の推奨数を算出する推奨数算出工程と、前記推奨数に関する情報を出力する出力工程と、を有する。この態様により、推奨数算出装置は、所定の検索条件により検索された類似商品の販売情報に基づき、対象商品の初回製造数（書籍の場合には初版部数）の推奨数を的確に算出して出力することができる。
【００１８】
本発明のさらに別の観点では、プログラムは、上記いずれか記載の推奨数判定装置としてコンピュータを機能させる。このプログラムをコンピュータにインストールして機能させることで、本発明に係る推奨数算出装置を構成させることができる。
【発明の効果】
【００１９】
本発明に係る推奨数算出装置は、類似商品の販売情報に基づき、対象商品の初回製造数（書籍の場合には初版部数）の推奨数を的確に算出して出力することができる。
【図面の簡単な説明】
【００２０】
【図１】実施形態に係る表示システムの構成を示す。
【図２】サーバ装置のブロック図を示す。
【図３】出版社端末のブロック図を示す。
【図４】初版設計画面の表示に関する処理の概要を示すフローチャートである。
【図５】ＰＯＳ引当処理の手順を示すフローチャートである。
【図６】ヒストグラム生成処理の手順を示すフローチャートである。
【図７】初版部数算出処理の手順を示すフローチャートである。
【図８】図７のステップＳ４０２〜ステップＳ４０４の各処理の概要を示した図である。
【図９】類書の検索条件及び対象期間を指定する入力欄が設けられた初版設計画面の表示例である。
【図１０】検索実行ボタンが選択された後に表示される初版設計画面の表示例である。
【図１１】ヒストグラム生成処理により生成したヒストグラムを表示した初版設計画面の表示例である。
【図１２】類書リストを表示した初版設計画面の表示例である。
【図１３】図９〜図１２に示される初版設計画面の表示を１つのウィンドウにより表示した表示例である。
【発明を実施するための形態】
【００２１】
以下、図面を参照しながら、本発明を実施するのに好適な実施形態について説明する。
【００２２】
［表示システムの構成］
図１は、本実施形態に係る表示システム１００の構成を示す。表示システム１００は、出版社が発行する書籍の初版部数の決定を支援する表示を行うシステムであって、サーバ装置１と、取次店又は書店に設置されたＰＯＳ端末３と、各出版社に設置された出版社端末４とを有する。サーバ装置１とＰＯＳ端末３と出版社端末４とは、それぞれ、ネットワーク２を介して通信を行う。
【００２３】
サーバ装置１は、各ＰＯＳ端末３から、当該ＰＯＳ端末３が記憶する書籍ごとの売上数等を示した販売情報「Ｓ１」を受信する。また、サーバ装置１は、出版社端末４から受信する条件指定信号「Ｓ２」に基づき、初版部数を決定すべき書籍（「対象書籍」とも呼ぶ。）に類似する書籍（「類書」とも呼ぶ。）の検索を行う。そして、サーバ装置１は、検索した類書の販売実績に基づき、対象書籍の初版部数の推奨部数（「推奨初版部数」とも呼ぶ。）を算出する。また、サーバ装置１は、対象書籍の初版部数を決定するための設計画面（「初版設計画面」とも呼ぶ。）の表示情報「Ｓ３」を、出版社端末４へ送信する。サーバ装置１は、本発明における「推奨数算出装置」の一例である。また、対象書籍は、本発明における「対象商品」の一例であり、類書は、本発明における「類似商品」の一例である。
【００２４】
ＰＯＳ端末３は、取次店又は書店ごとに設置され、書籍ごとの仕入数、売上数、返品数、及び市中在庫数等を管理する。ここで、「仕入数」は、書店に仕入れられた部数を指し、「売上数」は、売り上げられた書籍の部数を指し、「返品数」は、書店から取次店又は出版社に返品された書籍の部数を指し、「市中在庫」は、書店が有する書籍の在庫数を示す。そして、ＰＯＳ端末３は、書籍ごとの仕入数、売上数、返品数、及び市中在庫数等の情報を、販売情報Ｓ１としてサーバ装置１へ送信する。
【００２５】
出版社端末４は、例えば対象書籍の初版部数の決定を行う出版社の担当者が使用する端末であって、サーバ装置１から受信する表示情報Ｓ３に基づき、初版設計画面を表示する。また、出版社端末４は、初版設計画面上でのユーザ入力に基づき条件指定信号Ｓ２を生成し、当該条件指定信号Ｓ２をサーバ装置１へ送信することで、推奨初版部数等を初版設計画面上に表示させるための表示情報Ｓ３を、サーバ装置１から受信する。出版社端末４は、本発明における「表示装置」の一例である。
【００２６】
［サーバ装置の構成］
図２は、サーバ装置１のブロック図である。サーバ装置１は、記憶部１３と、データ通信を行う通信部１４と、制御部１５とを備える。これらの各要素は、バスライン１０を介して相互に接続されている。
【００２７】
記憶部１３は、ハードディスク又はフラッシュメモリといったメモリによって構成される。記憶部１３は、制御部１５が実行するプログラムを記憶したり、制御部１５が表示情報Ｓ３を生成するのに必要な情報を記憶したりする。例えば、記憶部１３は、書籍ごとに、書籍ＩＤ、タイトル、ジャンル、価格、発売日などの書誌的事項に関する各情報が登録された書籍情報ＤＢ１３１を記憶する。また、記憶部１３は、書籍ごとの売上数に関する情報が登録された販売情報ＤＢ１３２を記憶する。販売情報ＤＢ１３２の項目には、例えば、書籍を識別するためのＩＳＢＮなどの書籍ＩＤの項目と、当該書籍ＩＤにより特定される書籍の売上数の項目とが少なくとも含まれている。そして、記憶部１３は、各ＰＯＳ端末３から受信する書籍ごとの販売情報Ｓ１から特定される書籍ＩＤとその売上数の情報を、販売情報ＤＢ１３２に記憶する。好適には、販売情報ＤＢ１３２には、日ごとの売上数の情報が少なくとも記録されているとよい。この場合、サーバ装置１は、販売情報ＤＢ１３２を参照し、任意の書籍の累計売上数や月毎の売上数等を算出することが可能である。なお、サーバ装置１は、各書籍の累計売上数や月毎の売上数を算出し、これらの情報を販売情報ＤＢ１３２に登録してもよい。販売情報ＤＢ１３２は、本発明における「データベース」の一例である。
【００２８】
制御部１５は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、サーバ装置１内の各構成要素に対して種々の制御を行う。
【００２９】
例えば、制御部１５は、各ＰＯＳ端末３から通信部１４が受信した販売情報Ｓ１を、販売情報ＤＢ１３２に登録する。また、制御部１５は、通信部１４により出版社端末４に対して表示情報Ｓ３を送信することにより、出版社端末４に初版設計画面を表示させる。また、制御部１５は、類書を検索するための検索条件を示す条件指定信号Ｓ２を出版社端末４から受信した場合に、類書の検索及び類書の販売実績に基づく推奨初版部数の算出を行い、算出結果を表す表示情報Ｓ３を通信部１４により出版社端末４へ送信する。そして、制御部１５は、本発明における「検索条件取得部」、「検索部」、「推奨数算出部」、「出力部」及び本発明におけるプログラムを実行するコンピュータとして機能する。
【００３０】
［初版設計画面の表示処理］
（１）処理フロー
まず、初版設計画面の表示処理に関する処理フローについて、図４〜図７を参照して説明する。
【００３１】
（１−１）処理概要
図４は、初版設計画面の表示に関するサーバ装置１の処理概要を示すフローチャートである。
【００３２】
まず、図４のフローチャートの実行前において、サーバ装置１は、初版設計画面の表示要求があった出版社端末４に対し、ログイン処理等の認証処理の実行後、所定の入力欄を含む初版設計画面（後述の図９参照）の表示情報Ｓ３を送信する。そして、出版社端末４は、対象書籍に対する類書の検索条件及び初版部数による販売期間（「対象期間」とも呼ぶ。）を指定するユーザ入力を初版設計画面上で受け付け、当該ユーザ入力に基づき条件指定信号Ｓ２を生成し、サーバ装置１へ送信する。ここで、対象期間は、初版部数により対象書籍の販売を行う発売日からの期間長を指し、例えば、１ヶ月、３ヶ月、６ヶ月、１年などの期間に設定される。対象期間は、本発明における「所定期間」の一例である。そして、サーバ装置１は、類書の検索条件及び対象期間が指定された条件指定信号Ｓ２を、出版社端末４から受信する（ステップＳ１０１）。
【００３３】
次に、サーバ装置１は、書籍情報ＤＢ１３１を参照し、書籍情報ＤＢ１３１から条件指定信号Ｓ２が指定する検索条件に合致する書籍（書誌）を類書として検索する（ステップＳ１０２）。そして、サーバ装置１は、ステップＳ１０２の検索による類書の該当数が所定範囲内であるか否か判定する（ステップＳ１０３）。上述の所定範囲は、後述する推奨初版部数算出処理等を実行するのに適した類書の数の範囲に設定される。例えば、所定範囲は、３個以上であって５００個以下となる範囲に設定される。
【００３４】
そして、サーバ装置１は、類書の該当数が所定範囲内である場合（ステップＳ１０３；Ｙｅｓ）、ステップＳ１０５以降の処理を実行する。一方、サーバ装置１は、類書の該当数が所定範囲から外れる場合（ステップＳ１０３；Ｎｏ）、所定の表示情報Ｓ３を出版社端末４に送信することで、検索条件の追加・変更を促す表示を出版社端末４に出力させる（ステップＳ１０４）。これにより、サーバ装置１は、ステップＳ１０２の検索による類書の該当数が所定範囲内となるように出版社端末４のユーザに検索条件を再度指定させる。
【００３５】
次に、サーバ装置１は、類書の該当数が所定範囲内である場合に、販売情報ＤＢ１３２を参照し、検索により該当した類書の売上数を取得する処理であるＰＯＳ引当処理を実行する（ステップＳ１０５）。ステップＳ１０５のＰＯＳ引当処理の詳細については、図５を参照して後述説明する。次に、サーバ装置１は、各類書の売上数のヒストグラムを生成する処理であるヒストグラム生成処理を実行する（ステップＳ１０６）。ステップＳ１０６のヒストグラム生成処理の詳細については、図６を参照して後述説明する。さらに、サーバ装置１は、推奨初版部数を算出する処理である推奨初版部数算出処理を実行する（ステップＳ１０７）。ステップＳ１０７の推奨初版部数算出処理の詳細については、図７を参照して後述説明する。
【００３６】
そして、サーバ装置１は、検索した類書の書誌事項等を類書ごとに示したリスト（「類書リスト」とも呼ぶ。）、ステップＳ１０６で生成したヒストグラム、ステップＳ１０７で算出した推奨初版部数を表示するための表示情報Ｓ３を生成し、生成した表示情報Ｓ３を出版社端末４へ送信する（ステップＳ１０８）。このときに出版社端末４が表示する初版設計画面の表示例については、図１０〜図１３を参照して後述する。なお、類書リストは、本発明における「類似商品の一覧」の一例である。
【００３７】
また、サーバ装置１は、類書リストから任意の類書を指定した削除要求があるか否か判定する（ステップＳ１０９）。例えば、サーバ装置１は、上述の削除要求を出版社端末４から受信した場合（ステップＳ１０９；Ｙｅｓ）、類書リストを更新する（ステップＳ１１０）。この場合、サーバ装置１は、削除の指定があった書籍を類書から除外し、除外後の類書の販売情報に基づきステップＳ１０６〜ステップＳ１０８の処理を再び実行する。これにより、対象書籍の推奨初版部数の算出において参照するのがふさわしくないとユーザが判断した書籍の販売実績を除外し、推奨初版部数を的確に算出することができる。
【００３８】
（１−２）ＰＯＳ引当処理
図５は、図４のステップＳ１０５で実行されるＰＯＳ引当処理の手順を示すフローチャートである。
【００３９】
まず、サーバ装置１は、ステップＳ１０１で受信した条件指定信号Ｓ２により指定された対象期間を取得する（ステップＳ２０１）。そして、サーバ装置１は、以下に説明するステップＳ２０２及びステップＳ２０３の処理を、ステップＳ１０２で検索された類書ごとに実行する。
【００４０】
まず、サーバ装置１は、対象となる類書の発売日から対象期間内における売上数の情報を、販売情報ＤＢ１３２から抽出する（ステップＳ２０２）。ここで、販売情報ＤＢ１３２に登録されている売上数の情報は、日単位であってもよく、月単位であってもよい。そして、サーバ装置１は、抽出した売上数を合計し、対象となる類書の発売日から対象期間内における売上数を算出する（ステップＳ２０３）。サーバ装置１は、これらのステップＳ２０２及びステップＳ２０３の処理を、ステップＳ１０２で検索された類書ごとに実行することで、全ての類書の対象期間における売上数を算出する。
【００４１】
（１−３）ヒストグラム生成処理
図６は、図４のステップＳ１０６で実行されるヒストグラム生成処理の手順を示すフローチャートである。
【００４２】
まず、サーバ装置１は、表示すべきヒストグラムの範囲及び刻み幅を取得する（ステップＳ３０１）。この場合、例えば、サーバ装置１は、出版社端末４ごとに予め指定された設定情報を参照することで、上述の範囲及び刻み幅を取得する。他の例では、サーバ装置１は、ＰＯＳ引当処理で算出した類書ごとの対象期間での売上数の下限値及び上限値を少なくとも含むように上述の範囲を設定し、かつ、当該範囲における区分数が予め定めた所定数となるように上述の刻み幅を算出する。
【００４３】
次に、サーバ装置１は、ＰＯＳ引当処理で算出した類書ごとの対象期間での売上数を、上述の範囲及び刻み幅に基づき区切った区分ごとに集計し、それぞれの区分の頻度を計算する（ステップＳ３０２）。これにより、サーバ装置１は、類書の売上数に関する度数分布を認識する。そして、サーバ装置１は、この度数分布を表したヒストグラムの表示情報を生成する（ステップＳ３０３）。
【００４４】
（１−４）初版部数算出処理
図７は、図４のステップＳ１０７で実行される初版部数算出処理の手順を示すフローチャートである。
【００４５】
まず、サーバ装置１は、書店占有率、市中在庫係数、取置数を取得する（ステップＳ４０１）。ここで、「書店占有率」は、類書の売上数の算出において使用したＰＯＳ端末３の出所である書店の売上が市場全体に占める割合を指し、「市中在庫係数」は、当該書店に納品された数のうち市場に出回っている（即ち書店の倉庫外にある）数の割合を指す。また、「取置数」は、書店に出荷せずに出版社倉庫に別途残しておきたい取り分の数を示す。この場合、サーバ装置１は、例えば、初版設計画面上での入力情報を出版社端末４から受信することで、上述の書店占有率、市中在庫係数、取置数を取得してもよい。また、サーバ装置１は、上述のユーザ入力がない場合には、予め記憶部１３に記憶された書店占有率、市中在庫係数、取置数の初期値を、記憶部１３を参照することで取得してもよい。また、サーバ装置１は、販売情報ＤＢ１３２を参照し、検索した類書に対する書店占有率及び市中在庫係数の対象期間における実績値を算出することで、書店占有率及び市中在庫係数を取得してもよい。
【００４６】
次に、サーバ装置１は、類書を、ＰＯＳ引当処理で算出した類書ごとの対象期間での売上数によりソートする（ステップＳ４０２）。次に、サーバ装置１は、ソートされた上位及び下位の１０％に相当する類書を切り捨て、以後の処理における対象外とする（ステップＳ４０３）。これにより、サーバ装置１は、外れ値となる類書の売上数の情報を、推奨初版部数の算出から好適に除外することができる。上述の１０％は、本発明における「所定割合」の一例である。
【００４７】
次に、サーバ装置１は、ステップＳ４０３で切り捨てられなかった類書の対象期間での売上数に対する平均値及び標準偏差を算出する。（ステップＳ４０４）。平均値は、本発明における「代表値」の一例であり、標準偏差は、本発明における「散分度」の一例である。そして、サーバ装置１は、算出した平均値と標準偏差のそれぞれを基準として、必要な初版部数の推定値（「推定初版部数」とも呼ぶ。）を算出する（ステップＳ４０５）。具体的には、サーバ装置１は、以下の式に基づき、推定初版部数の算出に必要な売上推定値を算出する。
売上推定値＝売上数÷書店占有率
【００４８】
ここで、上述の売上数には、ステップＳ４０４で算出された平均値及び標準偏差がそれぞれ代入される。これにより、類書の所定期間における売上数の平均値及び標準偏差のそれぞれに対応する売上推定値が算出される。さらに、サーバ装置１は、平均値及び標準偏差のそれぞれに対応する売上推定値を用い、以下の式に基づき、指定初版部数を算出する。
【００４９】
推定初版部数の平均値＝平均値に基づく売上推定値÷（１−市中在庫係数）
推定初版部数の標準偏差＝標準偏差に基づく売上推定値÷（１−市中在庫係数）
【００５０】
ここでは、サーバ装置１は、類書の売上数の平均値に基づく売上推定値から算出した推定初版部数を、推定初版部数の平均値とみなし、類書の売上数の標準偏差に基づく売上推定値から算出した推定初版部数を、推定初版部数の標準偏差とみなしている。
【００５１】
次に、サーバ装置１は、ステップＳ４０５で算出した推定初版部数及びステップＳ４０１で取得した取置数に基づき、推奨初版部数を算出する（ステップＳ４０６）。具体的には、サーバ装置１は、類書の売上数のばらつきを考慮し、以下の式により定める範囲を、推奨初版部数として算出する。
（推定初版部数の平均値＋取置数）±推定初版部数の標準偏差
【００５２】
これにより、サーバ装置１は、類書の売上数に基づき、対象書籍の推奨初版部数の範囲を好適に算出することができる。
【００５３】
図８は、ステップＳ４０２〜ステップＳ４０４の各処理の概要を示した図である。図８に示すように、サーバ装置１は、まず、ステップＳ４０２において、グラフ９０により示される類書（本Ａ、本Ｂ、本Ｃ、…）ごとの売上数を、売上数に基づきソートする（グラフ９１参照）。さらに、サーバ装置１は、ステップＳ４０３において、ソートされた類書ごとの売上数の上位１０％及び下位１０％を切り捨てる（グラフ９２参照）。これにより、本Ｂを含む２０％の類書の売上数が後述の平均値及び標準偏差の算出において除外される。そして、サーバ装置１は、ステップＳ４０４において、上位１０％及び下位１０％以外の類書の売上数の平均値及び標準偏差を算出する。なお、ステップＳ４０３において、サーバ装置１は、ソートされた上位及び下位の１０％に相当する類書を切り捨てる代わりに、ソートされた上位の１０％に相当する類書のみを切り捨ててもよく、ソートされた下位の１０％に相当する類書のみを切り捨ててもよい。
【００５４】
（２）表示例
次に、初版設計画面の表示例について、図９〜図１３を参照して説明する。
【００５５】
図９は、類書の検索条件及び対象期間を指定する入力欄が設けられた初版設計画面の表示例である。出版社端末４は、サーバ装置１に対するログイン処理等の実行後、サーバ装置１から送信される表示情報Ｓ３に基づき、図９に示す初版設計画面を表示する。
【００５６】
図９の例では、サーバ装置１は、初版設計画面上に、対象書誌指定欄５０と、対象期間指定欄５１と、書誌事項指定欄５２と、キーワード指定欄５３と、除外ワード指定欄５４と、検索実行ボタン５５と、クリアボタン５６とを表示させている。
【００５７】
ここで、対象書誌指定欄５０は、類書として自社の出版物のみを対象とするか、自社及び他社の両方の出版物を対象とするかを指定するラジオボタンである。なお、図９に示すように、自社の出版物のみを対象とするボタンが選択された状態では、出版社名を指定するための書誌事項指定欄５２が入力不可（非アクティブ）な状態となり、自社及び他社の両方の出版物を対象とするボタンが選択された状態では、出版社名を指定するための書誌事項指定欄５２が入力可能な状態となる。
【００５８】
書誌事項指定欄５２は、種々の書誌事項を指定する欄であり、図９の例では、「書誌名」、「著者名」、「出版社名」、「ジャンル」、「判型」、「書誌区分」、「発売日」、「価格」をそれぞれ指定する欄を含んでいる。キーワード指定欄５３は、キーワード検索のためのキーワードを指定する欄であり、除外ワード指定欄５３は、検索結果から特定の出版物を除外するための除外ワードを指定する欄である。
【００５９】
出版社端末４は、検索実行ボタン５５の選択を検知した場合、対象書誌指定欄５０、対象期間指定欄５１、書誌事項指定欄５２、キーワード指定欄５３、及び除外ワード指定欄５４での入力内容を示した条件指定信号Ｓ２をサーバ装置１へ送信する。一方、出版社端末４は、クリアボタン５６の選択を検知した場合、対象書誌指定欄５０、対象期間指定欄５１、書誌事項指定欄５２、キーワード指定欄５３、及び除外ワード指定欄５４での入力内容を破棄し、各欄の表示を初期状態に戻す。
【００６０】
図１０は、図９の初版設計画面において検索実行ボタン５５が選択された後に表示される初版設計画面の表示例である。サーバ装置１は、検索実行ボタン５５の選択後に出版社端末４から送信される条件指定信号Ｓ２に基づき、図４のステップＳ１０１〜ステップＳ１０７の処理を行い、ステップＳ１０８において、図１０の初版設計画面を表示するための表示情報Ｓ３を出版社端末４に送信する。
【００６１】
ここで、サーバ装置１は、図１０の初版設計画面上に、図９の初版設計画面上で指定された検索条件に合致した類書の件数（ここでは１５件）と、指定された対象期間（ここでは６ヶ月）と、推奨初版部数（１０８２０±８６００部）と表示している。ここでは、サーバ装置１は、推奨初版部数を、中央値（１０８２０）と誤差範囲（±８６００）との組合せにより表示している。
【００６２】
また、サーバ装置１は、推奨初版部数に関する詳細ウィンドウ５９を表示させている。ここで、サーバ装置１は、詳細ウィンドウ５９上に、推奨初版部数の算出に用いた書店占有率（ここでは１０％）と、推奨初版部数から取置数を除いた数に相当する初版配本部数（ここでは１０２００±８６００部）と、対象期間での売上推定値に相当する対象期間売上（ここでは７１００±６０００部）と、市中在庫係数（ここでは３０％）と、取置数（ここでは６２０部）と、取置数の見本、倉庫、ネットの内訳部数（ここでは見本６０部、倉庫４６０部、ネット１００部）とを表示させている。
【００６３】
ここで、サーバ装置１は、キーボード入力などのユーザ入力による各数値の変更が可能となるように、書店占有率、市中在庫係数、及び取置数の各内訳部数を、それぞれ入力欄上に変更可能に表示している。そして、出版社端末４は、詳細ウィンドウ５９上の再計算ボタン６０の選択を検知した場合、詳細ウィンドウ５９の各入力欄の値をサーバ装置１に送信し、サーバ装置１は、出版社端末４から受信した各入力欄の値に基づき、推奨初版部数を再計算する。そして、サーバ装置１は、再計算した推奨初版部数に基づき、図１０の初版設計画面を更新する表示情報Ｓ３を生成し、当該表示情報Ｓ３を出版社端末４へ送信する。これにより、出版社端末４は、詳細ウィンドウ５９の各入力欄に指定された値を反映した推奨初版部数の情報を、ユーザに提示することができる。
【００６４】
図１１は、ステップＳ１０６のヒストグラム生成処理により生成したヒストグラムを表示した初版設計画面の表示例である。図１１の例では、サーバ装置１は、対象期間での売上数を０部から２０００部の範囲について１００部ずつ刻んだ区分ごとの該当類書数を示したヒストグラムを示している。これにより、サーバ装置１は、類書の売上数の度数分布を好適にユーザに把握させ、検索条件の変更の要否、及び、後述する類書リストでの削除操作の要否を好適にユーザに判断させることができる。
【００６５】
図１２は、類書リストを表示した初版設計画面の表示例である。図１２の例では、サーバ装置１は、初版設計画面上に、類書リスト６１と、絞込み解除ボタン６２とを表示させている。
【００６６】
ここで、類書リスト６１は、検索された類書ごとに書誌事項等が並べられたリストであり、「ＩＳＢＮ」、「出版社」、「書誌名」、「著者名」、「発売日」、「価格」、「書誌区分」、「判型」、「ジャンル」、「売上」の各項目が設けられている。図１２の例では、「売上」の項目については、秘密情報保護の観点から原則的に非表示となっている。例えば、サーバ装置１は、書籍情報ＤＢ１３１を参照することで、「ＩＳＢＮ」、「出版社」、「書誌名」、「著者名」、「発売日」、「価格」、「書誌区分」、「判型」、「ジャンル」の項目の各欄に表示すべき情報を取得し、取得した情報を各欄に表示する。また、サーバ装置１は、図９の対象書誌指定欄５０で「自社のみ」が選択された場合に、販売情報ＤＢ１３２を参照し、「ＩＳＢＮ」等により特定される各類書の対象期間での売上数の情報を、項目「売上」の各欄に表示する。
【００６７】
また、類書リスト６１の各要素には、ゴミ箱アイコン６２が設けられており、ユーザ入力に基づき任意の類書に該当する類書リスト６１の要素が削除可能となっている。出版社端末４は、任意のごみ箱アイコン６２の選択を検知した場合、対応する類書リスト６１の要素の削除を指示する削除要求をサーバ装置１に送信し、サーバ装置１は、当該削除要求に基づき、図４のステップＳ１１０において類書リストの更新を行う。その後、サーバ装置１は、再びヒストグラム生成処理や推奨初版部数算出処理などを行い、図１０〜図１２の更新画面の表示情報Ｓ３を生成して出版社端末４へ送信する。
【００６８】
このように、サーバ装置１は、対象書籍の推奨初版部数の算出において参考にするのがふさわしくないとユーザが判断した書籍を、ユーザ入力に基づき個別に類書から除外することができる。また、サーバ装置１は、絞込み解除ボタン６２の選択を検知した場合、書籍情報ＤＢ１３に登録された全ての書籍の情報を類書リスト６１上に表示させる。
【００６９】
なお、出版社端末４は、図９〜図１２に示される初版設計画面の表示を１つのウィンドウにより表示してもよい。図１３は、図９〜図１２に示される初版設計画面の表示を１つのウィンドウにより表示した表示例である。出版社端末４は、図９において検索実行ボタン５５の選択を検知後に条件指定信号Ｓ２をサーバ装置１へ送信し、その応答として受信した表示情報Ｓ３に基づき図１３の初版設計画面を表示している。
【００７０】
図１３の例では、サーバ装置１は、類書の検索条件の変更、市中在庫係数などのパラメータの変更、又は類書リストの変更をユーザ入力に基づき指示する情報を出版社端末４から受信した場合に、当該変更を反映した表示情報Ｓ３を生成し、当該表示情報Ｓ３を出版社端末４へ送信する。これにより、出版社端末４は、推奨初版部数、ヒストグラム、類書リストの各情報をユーザ入力に基づき更新した初版設計画面を表示することができる。
【００７１】
［表示システムの作用効果］
実施形態の表示システム１００によれば、サーバ装置１は、対象書籍の推奨初版部数を決定する場合に、出版社端末４のユーザが指定した検索条件に基づき類書を選定し、選定した類書の過去の売上数を統計的に処理することで推奨初版部数を決定する。これにより、サーバ装置１は、類書の売上傾向に基づき、対象書籍の推奨初版部数を的確に決定することができる。また、サーバ装置１は、推奨初版部数を表示する際に、推奨初版部数の算出に用いた類書の売上数のヒストグラムを出版社端末４に表示させる。これにより、ユーザは、市場の規模や傾向を確認しながら初版部数を好適に決定することができる。また、サーバ装置１は、類書リストを表示すると共に、類書リストの任意の要素の削除をユーザが指定できるようにすることで、推奨初版部数の算出に不適な類書を個別に除外することもできる。
【００７２】
［変形例］
次に、上述の実施形態に好適な変形例について説明する。以下の変形例は、任意に組み合わせて上述の実施形態に適用してもよい。
【００７３】
（変形例１）
図１の表示システム１００の構成は、一例であり、本発明が適用可能な構成は、これに限定されない。
【００７４】
例えば、図１の構成に代えて、表示システム１００は、サーバ装置１を有さず、出版社端末４は、自社が出版した書籍に関する書籍情報ＤＢ１３１及び販売情報ＤＢ１３２をサーバ装置１の代わりに有し、ＰＯＳ端末３から販売情報Ｓ１を受信して販売情報ＤＢ１３２を更新してもよい。この場合、出版社端末４は、販売情報ＤＢ１３２等に基づき、サーバ装置１が実行する初版設計画面の表示処理を実行することで、初版設計画面の表示情報を生成し、表示部４１に初版設計画面を表示させる。この場合、出版社端末４の制御部４５は、本発明における「検索条件取得部」、「検索部」、「推奨数算出部」、「出力部」及び本発明におけるプログラムを実行するコンピュータとして機能する。
【００７５】
他の例では、サーバ装置１は、複数のサーバから構成されていてもよい。例えば、サーバ装置１は、書籍情報ＤＢ１３１を有するサーバ、販売情報ＤＢ１３２を記憶し販売情報Ｓ１に基づき更新するサーバ、及び図４のフローチャートの処理を実行して初版設計画面の表示情報Ｓ３を生成するサーバ等から構成されていてもよい。この場合、初版設計画面の表示処理を実行するサーバは、本発明における「推奨数算出装置」として機能し、割り当てられた処理に必要な情報の授受を、ネットワーク２を介して他のサーバと行う。
【００７６】
（変形例２）
サーバ装置１は、図７の初版部数算出処理では、ステップＳ４０４〜ステップＳ４０６において、類書の対象期間での売上数の平均値を推奨初版部数（図１０の例では１０８２０部）の算出に用いた。これに代えて、サーバ装置１は、類書の対象期間での売上数の平均値以外の代表値の指標（例えば中央値、最頻値）を用いて、推奨初版部数を算出してもよい。
【００７７】
このとき、サーバ装置１は、類書の対象期間での売上数の度数分布に基づいて、上述の類書の売上数の代表値として用いる指標を、平均値、中央値、最頻値等から選択してもよい。例えば、サーバ装置１は、類書の対象期間での売上数の度数分布が正規分布に近い場合には、平均値を代表値として用いて推奨初版部数を算出し、正規分布ではない場合には、中央値又は最頻値を代表値として用いて推奨初版部数を算出する。この場合、例えば、サーバ装置１は、Ｓｈａｐｉｒｏ−Ｗｉｌｋ検定などの正規性検定においてｐ値が所定閾値α未満の場合には、対象の度数分布が正規分布に近いと判定し、ｐ値が閾値α以上の場合には、対象の度数分布が正規分布ではないと判定する。このように、サーバ装置１は、類書の対象期間での売上数の分布に応じて適切な売上数の代表値を選定することで、推奨初版部数の算出精度を好適に向上させることができる。なお、上述の例において、サーバ装置１は、対象の度数分布が正規分布ではない場合に、中央値又は最頻値のいずれかを用いて推奨初版部数の代表値を算出するかを、予め記憶された設定情報に基づき決定してもよく、ｐ値に対してさらに閾値を設けることで決定してもよい。
【００７８】
同様に、サーバ装置１は、類書の対象期間での売上数の標準偏差の代わりに、他の散布度を表す数値を用いて、推奨初版部数の誤差範囲の大きさ（図１０の例では±８６００部）を算出してもよい。
【００７９】
（変形例３）
表示システム１００は、書籍以外の商品に対し、当該商品の初回製造数の推奨数を表示するものであってもよい。この態様によっても、サーバ装置１は、検索条件に基づき対象の商品に類似した類似商品を特定し、類似商品の過去の売上数を統計的に処理することで、対象商品の初回製造の推奨数を算出する。このように、書籍以外の商品についても好適に本発明は適用される。
【符号の説明】
【００８０】
１…サーバ装置
２…ネットワーク
３…ＰＯＳ端末
４…出版社端末
【図１】
2019096030.tif 000003
【図２】
2019096030.tif 000004
【図３】
2019096030.tif 000005
【図４】
2019096030.tif 000006
【図５】
2019096030.tif 000007
【図６】
2019096030.tif 000008
【図７】
2019096030.tif 000009
【図８】
2019096030.tif 000010
【図９】
2019096030.tif 000011
【図１０】
2019096030.tif 000012
【図１１】
2019096030.tif 000013
【図１２】
2019096030.tif 000014
【図１３】
2019096030.tif 000015